(57)【要約】      （修正有）【課題】長い電源コードを有するも、それが複雑に絡み合うことがなく、必要な時には直ちに使用開始出来るような、ハンディータイプの電動マッサージ機を提供する。【解決手段】モータとその回転軸に設けた分銅とから成る振動発生部２と、前記モータのＯＮ／ＯＦＦを行なうためのスイッチを備えた電池収納部３と、この電池収納部３と前記振動発生部２とを接続する電源コード４とから成る。前記電源コード４の中間部に電源コード４を巻き取るためのコードリール１が設けられている。【選択図】図１
0003153865.tif 000002
【実用新案登録請求の範囲】
【請求項１】
モータとその回転軸に設けた分銅とから成る振動発生部と、前記モータに電力を供給するための電池収納部と、前記モータのＯＮ／ＯＦＦを行なうために前記振動発生部若しくは前記電池収納部に近接させてまたは一体に設けたスイッチと、前記振動発生部と前記電池収納部とを接続する電源コードとから成る電動マッサージ機に於いて、前記電源コードの中間部に電源コードを巻き取るためのコードリールを設けて成ることを特徴とする、コードリール付き電動マッサージ機。
【請求項２】
前記コードリールは、その電源コードを２方向へ引き出し得るように、上ハウジングと下ハウジングと、これ等の間にコイルバネで巻き取り方向へ付勢された巻き取り盤とを備えており、この巻き取り盤に電源コードの略中央部分が固定されており、この電源コードの引き出し口が前記コードリールの略２回対称の位置に設けられている、請求項１に記載のコードリール付き電動マッサージ機。
【請求項３】
前記コードリールは、前記振動発生部の一部または全部を納めるための収納部を備えている、請求項１に記載のコードリール付き電動マッサージ機。
【請求項４】
前記コードリールは、前記電源コードを引き出す際に直接電源コードを引くことが出来るように、電源コードの端部分につまみが取り付けられている、請求項１に記載のコードリール付き電動マッサージ機。
【請求項５】
前記スイッチはボリュームを備え、このボリュームは前記モータの回転数を変えることができるように回路中に介在させられている、請求項１に記載のコードリール付き電動マッサージ機。
【請求項６】
前記コードリールまたは前記電源コードに蓄光機能が備わっている、請求項１に記載のコードリール付き電動マッサージ機。
【考案の詳細な説明】
【技術分野】
【０００１】  この考案は身体をマッサージするための電動マッサージ機に係り、更に詳しくは振動発生部とスイッチを備えた電池収納部と両者を接続する電源コードとから成ると共に、この電源コードを巻き取るためのコードリールを備えているものに関する。
【背景技術】
【０００２】  従来よりモータとその回転軸に設けた分銅とから成る振動発生部の前記モータを持ち手側に設けると共に前記分銅をマッサージヘッド側に設けて成るマッサージ機が各種提案されている。例えば特開平９−１７３４０５号の手持式電動マッサージ機は、取手ケースに連結ばねを介して振動ヘッドを連結させ、患部に当てるローラを振動ヘッドに回転可能に支承したものである。これにより振動ヘッドをローラを介して患部に当てた時にローラが回転するため、振動ヘッドを患部に当てたままでも快適に移動させることができるようになっている。【０００３】  またこれより小型のハンディータイプのものも各種提供されている。例えば先端を丸くしたペンシル状の容器の内部の前記先端部に振動発生部を備えると共に、胴部にスイッチや電池の収納部が設けられているものがある。このものは肩凝りなどに簡易に用いられる。例えば特開２００３−０８８５６３号のマッサージ機は、ハンドルと、このハンドルに設けられたロッドとを具えてなるものである。ハンドルとロッドとは一繋がりでありハンドル部分を握りロッド部分で身体所要部位をマッサージすることができるようになっている。
【特許文献１】特開平０９−１７３４０５号公報
【特許文献２】特開２００３−０８８５６３号公報
【考案の開示】
【考案が解決しようとする課題】
【０００４】  上記の内ハンディータイプのものでは、その胴内に電源としての電池をセットするようになっているため、その重量が重く感じられることがままある。単３型乾電池２本を収納するものでさえ、ある程度の時間手に持って使用していると重くなってくるものである。微妙な身体マッサージポイントの探査のためには出来るだけ軽量であり、身体マッサージポイントを指先で細かく探れることが望ましい。そこで当考案者はモータとその回転軸に設けた分銅とから成る振動発生部と、前記モータのＯＮ／ＯＦＦを行なうためのスイッチを備えた電池収納部とに機能とケースを分け、両者を電源コードで接続すれば良いと言う着想を得た。このように構成することによって、重いと感じられる電池収納部を下に置くことが出来るようになり、手にはただ振動発生部のみを持つようにすれば良いのである。これにより小型で軽量な振動発生部を器用に操ることが可能になる。【０００５】  ところがこのように振動発生部と電池収納部とにケースを分けると、その間に長い電源コードが介在することになるため、このような電動マッサージ機を机やバッグの中に収納すると、電源コードが複雑に絡み合い、次回の使用時にもつれた電源コードを一々解さなくてはならないと言う問題が生じてしまう。ユーザーにはこのように面倒で煩わしく難しい作業を強いることなく、直ぐに使用開始可能であることが望ましい。【０００６】  そこでこの考案は上述したような問題を解決して、長い電源コードを有するも、それが複雑に絡み合うことがなく、もつれた電源コードを解す作業が不要であり、必要な時には直ちに使用開始出来るような、とても便利なハンディータイプの電動マッサージ機を提供することを目的とする。
【課題を解決するための手段】
【０００７】  上記課題は、モータとその回転軸に設けた分銅とから成る振動発生部と、前記モータのＯＮ／ＯＦＦを行なうためのスイッチを備えた電池収納部と、この電池収納部と前記振動発生部とを接続する電源コードとから成る電動マッサージ機であって、前記電源コードの中間部に電源コードを巻き取るためのコードリールが設けられていることを特徴とする、コードリール付き電動マッサージ機とすることにより達成される。【０００８】  すなわち、電源コードを巻き取るためのコードリールが電源コードのおよそ中間部分に設けられているような電動マッサージ機はこれまでには全く存在しておらず、使用の後にこのコードリールによって電源コードを巻き取っておけば、振動発生部と電池収納部とを近接させておくことが出来ると共に長い電源コードでも複雑に絡み合うような事態をなくすことが出来るのである。そして次回の使用時には電源コードをスルスルとコードリールから引き出すようにすれば良く、とてもスマートな印象を受けるものとなっている。またコードリールが電源コードのおよそ中間部分に設けられているため、コードリールが回転すると電源コードはコードリールの左右の側が同時に繰り出されたり巻き戻されたりするように動作する。【０００９】  次に前記コードリールはその電源コードを２方向へ引き出し得るように、上ハウジングと下ハウジングと、これ等の間にコイルバネで巻き取り方向へ付勢された巻き取り盤とを備えており、この巻き取り盤に電源コードの略中央部が固定されており、この電源コードの引き出し口が前記コードリールの略２回対称の位置に設けられているものとすることが出来る。【００１０】  なお前記巻き取り盤はコイルバネで巻き取り方向へ付勢されているが、このコイルバネが比較的弱いものであれば、電池収納部の重量で電源コードが引き出された状態が維持されるが、コイルバネを強くして行くと巻き戻ろうとする力が大きくなって行く傾向が見られる。このような場合ではコイルバネの巻き戻りを阻止し得るストッパ手段を取り付けることが好ましい。このストッパ手段は、例えばスライド式のスイッチを２つの位置を取るように設けて、この一側にある時に前記巻き取り盤に接触してブレーキを掛け得るように構成することで実現可能である。あるいは前記巻き取り盤にラチェット機構を取り付け、電源コードの引き出し操作の１回毎にこのラチェット機構がストッパとして作用するように構成することで実現可能である。【００１１】  このように構成することによって、電源コードの振動発生部に近い部分と電池収納部に近い部分とを両手で摘んで左右方向に引くようにすれば、電源コードを左右に同時に引き出すことが出来るし、また収納時にも同時に巻き取ることが可能になる。従って引き出しや巻き取りに要する時間がこれまでのおよそ半分で済むことになる。【００１２】  次に前記コードリールは、前記振動発生部を納めるための収納部を備えているものとすることが出来る。例えば前記振動発生部が卵型であるとするならば、恰かも卵立てのような受け皿部分の構造を有する収納部とするのである。【００１３】  電源コードをコードリールの中に巻き取った時に、コードリールの両側に振動発生部と電池収納部が繋がった状態���なる。この際にコードリールに設けられた収納部に振動発生部が納まるため、コードリールと振動発生部との一体感が強まる。【００１４】  次に前記コードリールは、前記電源コードを引き出す際に直接電源コードを引くことが出来るように電源コードの端部につまみが取り付けられているものとすることが出来る。引き出される電源コードの先には振動発生部や電池収納部が接続されているが、この部位の電源コードを電源コードの端部とする。またつまみは例えば平たい合成樹脂片などとすれば良い。【００１５】  上述したように、電池収納部と前記振動発生部とを接続する電源コードがコードリールに巻き取られているため、電源コードを引き出す際には電源コードの端部を指で摘むようにしないと（振動発生部や電池収納部を摘んで引き出そうとすると）、電源コードと振動発生部や電池収納部との接続部が断線する可能性がある。そこで電源コードがつまみ易くなるように、つまみを取り付けるのである。【００１６】  次に前記コードリールまたは前記電源コードに蓄光機能が備わっているものとすることが出来る。蓄光機能を付与するには、コードリールや電源コードを構成する合成樹脂素材に蓄光顔料を添加したり、コードリールや電源コードの表面部分に蓄光塗料を塗布するなどすれば良い。【００１７】  この考案のコードリールが付いた電動マッサージ機は暗がりで使用される場合がある。例えば電動マッサージ機を就寝時に肩凝りのマッサージに用いるような状況がある。このような時にコードリールや電源コードから蓄光発光が為されていると電源コードの引き出しが楽になる。また蓄光発光が見えていれば暗がりでもこのこの考案のコードリールや電動マッサージ機の在処がすぐに知覚される効果がある。なお同様の効果を得るためには、前記つまみに蓄光機能を備えるようにすることでも良い。【００１８】  次に前記電動マッサージ機の前記電池収納部がボリュームを備えて、このボリュームは前記モータの回転数を変えることができるように回路中に介在させられているものとすることが出来る。またこのボリュームは、値が最小になる位置でスイッチＯＦＦとなるようにスイッチ付きのものに構成することも可能である。【００１９】  モータの回転数を変えることにより、マッサージの振動の強弱を調節することが可能である。なお前記電池収納部にモータ制御回路を設けて、いくつもの振動パターンから好みに応じて一を選択出来るように設計することも出来る。
【考案の効果】
【００２０】  この考案は、モータとその回転軸に設けた分銅とから成る振動発生部と、前記モータのＯＮ／ＯＦＦを行なうためのスイッチを備えた電池収納部と、この電池収納部と前記振動発生部とを接続する電源コードとから成る電動マッサージ機に組み付けるコードリールであって、前記電源コードの略中央部を固定するための巻き取り盤に、前記電源コードを巻き取り方向へ付勢するためのコイルバネを備えており、この巻き取り盤が上ハウジングと下ハウジングとにより収納されているものとした。またこのようなコードリールを備えた上述の電動マッサージ機である。使用後にコードリールによって電源コードを巻き取っておけば、振動発生部と電池収納部とを近接させておくことが出来ると共に長い電源コードでも複雑に絡み合うような事態をなくすことが出来る。これによって必要な時には直ちに使用が開始出来るような、とても便利なハンディータイプの電動マッサージ機を提供することが出来るようになり、所期の目的が達成された。このようにコードリールが付いている電動マッサージ機はこれまでにはなかったものである。【００２１】  なおコードリールが前記振動発生部を納めるための収納部を備えているものでは、電源コードをコードリールの中に巻き取った時に収納部に振動発生部が納まるために、コードリールと振動発生部との一体感が強まる。また電源コードの端部につまみが取り付けられているものではこのつまみを摘んで電源コードを引き出すことが出来るため、電源コードと振動発生部や電池収納部との接続部が断線するような問題が生じにくい。コードリールのハウジングや電源コードに蓄光機能が備わっているものでは、暗がりでもこのこの考案のコードリールや電動マッサージ機を直ぐに見付けることが出来る。また前記電池収納部がボリュームを備えており、このボリュームがモータの回転数を変えることができるように回路中に介在させられているものでは、マッサージの振動の強弱を調節することが出来ると言う効果がある。
【考案を実施するための最良の形態】
【００２２】  第１実施形態
図１乃至図３を用いてこの考案の第１実施形態のコードリール付き電動マッサージ機を説明する。図１で示すようにこの実施形態の電動マッサージ機は振動発生部２と電池収納部３とこれ等を電気的に接続する電源コード４とから成る。また符号１はこの実施形態のコードリールであり、前記電源コード４の中間部をドラム１４に固定してその両側の電源コード４０，４１を同時に巻き取るためのものである。【００２３】  このコードリール１は図２で表わしたように、上ハウジング１０と下ハウジング１１とを合わせて成るものであり、上ハウジング１０の中央部分には巻き上げリール１２が回転自在に設けられており、この巻き上げリール１２の回転芯であるドラム１４に開孔された通孔１５に電源コード４が通されてその中間部４２がここで固定されている。従って巻き上げリール１２のドラム１４を巻き上げ方向に回転させると、中間部４２から２つ折りにされたようになっている電源コード４０，４１が、上ハウジング１０と下ハウジング１１の開口部１６を通してドラム１４に同時に巻き上げられる。またこれとは逆に電源コード４０，４１を繰り出す方向に引くと、ドラム１４が回転して電源コード４０，４１が同時に繰り出される。なお符号１３は巻き上げリール１２の中心部分から外れた位置に設けられた溝部であり、電源コード４を巻き上げる方向に巻き上げリール１２を回転させる際には、この溝部１３に指先を当てるようにすると、指先が溝部１３に都合良く納まって巻き上げリール１２を回転させる作業が容易になる。【００２４】  振動発生部２は図１の断面図部分で表わしたように、後ハウジング２０に前ハウジング２１をキャップのように填め合わせたものであり、身体には主として前ハウジング２１側で接触され使用される。後ハウジング２０の後部には電源コード４０を通す孔部が設けられており、ここから後ハウジング２０内に電源コード４０が引き込まれて、後ハウジング２０内に納められたモータ２２に配線されている。なおこのモータ２２の回転軸２３には偏心分銅２４が固定されている。【００２５】  次に電池収納部３の電池ケース３０の内部構成は図示しないが、この回路図を図３にて表わす。すなわち図３はコードリールを外して表わしたものであるが、モータ２２と電池３４とは、スイッチ付きボリューム３１のスイッチ３２とボリューム３３を介して直列に接続されている。スイッチ付きボリューム３１を回転させると、スイッチ３２がＯＦＦの状態からＯＮの状態に移り、更に回転させるとボリューム３３の抵抗値が小さい方へ変化する。これによりモータ２２の回転を制御することが出来る。【００２６】  第２実施形態
この実施形態のコードリール５を図４及び図５を用いて説明する。このコードリール５は上ハウジング５０と下ハウジング５１とはネジ５５で止め合わされており、この内部の中央部分にドラム５４が回転軸５６を以て回転自在に組み付けられている。ドラム５４の２回対称の位置に電源コード４０，４１を通すための通孔５７，５８が開孔されている。なお通孔５７は下ハウジング５１の領域にまた通孔５８は上ハウジング５０の領域に対応するように段違いで設けられている。従って電源コードはその図示しない中間部がドラム５４の中央に在るように、通孔５７，５８を通して前記ドラム５４内に納められており、通孔５７より外に出ている部位が電源コード４１であり、通孔５８より外に出ている部位が電源コード４０とされている。さらにこの電源コード４０の部分はハウジングの開口部５２から外に引き出され、電源コード４１の部分はハウジングの開口部５３から外に引き出されている。【００２７】  またドラム５４の内部には図示しないゼンマイとラチェット機構とが納められており、電源コード４０，４１を繰り出す方向（矢線方向）に引いた時にゼンマイが蓄勢されるように構成されており、また電源コード４０，４１を引くのを止めた時にはその位置で電源コード４０，４１が巻き戻らずに停止し、再度引っ張ると蓄勢されたゼンマイの力で巻き戻りが可能となるように、ラチェット機構が働くように構成されている。ラチェット機構はメジャー等では一般的な構造であるため、煩雑となるのを避けてこれ以上の説明を省略する。なおゼンマイの力で電源コード４０，４１を巻き戻すと、電源コード４０，４１はドラム５４の周りの空間に巻き溜められる。【００２８】  第３実施形態
この実施形態のコードリール６を図６及び図７を用いて説明する。このコードリール６はその殆どの構成を第２実施形態のコードリール５に倣うものであるが、振動発生部２の一部分を収納するための収納部６１を備えている点に特徴を有する。すなわち振動発生部２は後ハウジング２０と前ハウジング２１とを合わせた略卵形状を呈するものであるが、この後ハウジング２０の一部分がちょうど納まるようなお椀形状の収納部６１が、コードリール６の電源コード４０の引き出し口の部位にお椀の口を外側に向けて取り付けられている。なお図中符号６０はコードリール６の上ハウジングである。【００２９】  この構成によって、矢線で示す方向に電源コード４０が巻き取られると、振動発生部２はその後ハウジング２０の一部分が収納部６１に納まり、振動発生部２はコードリール６と一体化する。なお電池収納部用の収納部をコードリールに設けて、電池収納部とコードリールとが一体化するようにすることも可能である。【００３０】  第４実施形態
さて図８はこの考案の第４実施形態のコードリールの引き抜き片２５の使用状態を表わしたものである。図示しないコードリールから引き出された電源コード４０の端部、すなわち振動発生部２との接続部付近に、つまみ２５を取り付けて成るものである。【００３１】  電源コード４０を引く際にはおうおうにして振動発生部２を引くことが多いが、つまみ２５が電源コード４０に取り付けられていることにより、このつまみ２５を引けば直接的に電源コード４０を引っ張ることが出来る。このようなコードリールはこれまでにないものであり、振動発生部２と電源コード４０との接続部が断線するような問題を生じにくくするものとなっている。なおこのようなつまみは電池収納部側の電源コード４１にも取り付けることが好ましい。【００３２】  第５実施形態
次に図９はこの考案の第５実施形態のコードリール７を模式図で表わしたものである。コードリール７はその殆どの構成を第２実施形態のコードリール５に倣うものであるが、合成樹脂素材に蓄光顔料を練り込んで上ハウジング７０を成型したものである。図中符号７１は電源コード４０を引き出している開口部であり、また符号７２は電源コード４１を引き出している開口部である。なお蓄光顔料は図９では点々で模式的に表わした。【００３３】  これによればコードリール７は暗闇で蓄光発光を行なうため、コードリール７の在処が良く分かり、電源コードの引き出しが楽になる。なお上ハウジングにも同様の蓄光機能を持たせるようにすれば、どちらの側からも蓄光発光が見られるようになる。
【産業上の利用可能性】
【００３４】  この考案の思想によれば、振動発生部と電池収納部とが別体である電動マッサージ機の全てに適用可能である。また一つの電池収納部に対して複数個の振動発生部を備えたものとすることも可能である。この際に複数個のコードリールを有するものとしても良い。
【図面の簡単な説明】
【００３５】
【図１】  第１実施形態の説明図である。
【図２】  同実施形態のコードリール１の断面図である。
【図３】  同実施形態の回路図である。
【図４】  第２実施形態のコードリール５の模式図である。
【図５】  同実施形態の断面図である。
【図６】  第３実施形態のコードリール６の使用状態説明図である。
【図７】  同実施形態の使用状態説明図である。
【図８】  第４実施形態のコードリールの引き抜き片２５の使用状態説明図である。
【図９】  第５実施形態のコードリール７の模式図である。
【符号の説明】
【００３６】  １    コードリール
１０  上ハウジング
１１  下ハウジング
１２  巻き上げリール
１３  溝部
１４  ドラム
１５  通孔
１６  開口部
２    振動発生部
２０  後ハウジング
２１  前ハウジング
２２  モータ
２３  回転軸
２４  偏心分銅
２５  つまみ
３    電池収納部
３０  電池ケース
３１  スイッチ付きボリューム
３２  スイッチ
３３  ボリューム
３４  電池
４    電源コード
４０  電源コード
４１  電源コード
４２  中間部
５    コードリール
５０  上ハウジング
５１  下ハウジング
５２  開口部
５３  開口部
５４  ドラム
５５  ネジ
５６  回転軸
５７  通孔
５８  通孔
６    コードリール
６０  上ハウジング
６１  収納部
７    コードリール
７０  上ハウジング
７１  開口部
７２  開口部
【図１】
0003153865.tif 000003
【図２】
0003153865.tif 000004
【図３】
0003153865.tif 000005
【図４】
0003153865.tif 000006
【図５】
0003153865.tif 000007
【図６】
0003153865.tif 000008
【図７】
0003153865.tif 000009
【図８】
0003153865.tif 000010
【図９】
0003153865.tif 000011